(57)【要約】  ハンドル組立体（１０）が開示される。この組立体は、ばね力を受け第１の係合部、すなわち係合面（１６，１１６）を有するプランジャ（１４、１１４）を備え回転可能な、ばねによって付勢されたハンドル（１２，１２０）と、ハンドルに動作可能に連結されたトリガ装置（２０，１５０）と、ハンドルと共に動くことができ、ハンドルに回転可能に取り付けられたブロック部材（２４，１６０）を有しており、このブロック部材は、その遠い側の端部（２６，１６６）にラッチを含んでいる。ブロック部材は、トリガ装置に作動的に連携しており、ラッチの一部が、組立体がロックされた状態の時に、遠い側の保持面（２２）によって保持される。トリガ装置とブロック部材が機械的に十分に動くと、ラッチは、保持面によってもはや制限されなくなる。
2007503542.tif 000002
【特許請求の範囲】
【請求項１】
ばねによって付勢されたハンドル（１２，１１２）と、前記ハンドルに連結された作動部材、すなわちトリガ装置（２０，１５０）と、保持面（２２）に引っ掛かるように構成された保持部（２６，１６６）を含み、前記作動部材によって動かされるブロック部材（２４，１６０）と、を有し、第１の状態にある時に、前記ブロック部材が前記保持面の一部によって保持されており、さらに、前記作動部材と前記ブロック部材が十分に動くと、前記保持部が前記保持面によって拘束されなくなるハンドル組立体（１０，１００）。
【請求項２】
前記ハンドルは、該ハンドルが周りを回転可能なピボット端部（３２，１３２）を含んでおり、前記ハンドルは、反対側の端部の近くに、突き出た部材、すなわちプランジャ（１４，１１４）をさらに含んでおり、前記突き出た部材は第２のハンドル部材（２８，１２８）に連結するように構成されている、請求項１に記載のハンドル組立体。
【請求項３】
前記ハンドルと前記ブロック部材との少なくとも一方を付勢する少なくとも１つのばね手段（４６，５０，５０ａ）を含んでいる、請求項１に記載のハンドル組立体。
【請求項４】
前記ハンドルを付勢する第１のばね手段と、前記ブロック部材を付勢する第２のばね手段を含んでおり、前記第１のばね手段に付随する力が、前記第２のばね手段に付随する力よりも大きい、請求項３に記載のハンドル組立体。
【請求項５】
前記保持面は、前記第２のハンドル部材の一部であり、前記第２のハンドル部材は、前記ハンドルに対して、動かないように配置されたキャップ（２８）とロックハウジング（１２８）のうちの一方である、請求項２に記載のハンドル組立体。
【請求項６】
前記保持部（２６，１６６）は、Ｊ字形のラッチ、Ｌ字形のラッチ、または湾曲したラッチのうちの１つを含んでいる、請求項１に記載のハンドル組立体。
【請求項７】
前記ブロック部材（２４，１６６）は、前記ハンドル内に回転可能に支持されており、前記作動部材と作用し合う部分と、係合させられた配置の時に前記保持面と機械的に作用し合う部分とを有している、請求項１に記載のハンドル組立体。
【請求項８】
前記ハンドルは、突き出た部材を有しており、該突き出た部材は前記ハンドルの下側から、前記ハンドル組立体が取り付けられている協働するドアの開口を通って延びるように構成されており、前記突き出た部材は、前記ブロック部材の一部を受け入れるように構成された切れ込み（３４，１１８ａ）を含んでいる、請求項１に記載のハンドル組立体。
【請求項９】
前記ブロック部材は、２つの側を有する機械的なレバー（２４ａ，２４ｂ；１６２，１６４）から構成されている、請求項１に記載のハンドル組立体。
【請求項１０】
前記作動部材は、レバー、ボタン（２３）、または作動機構のうちの１つを含んでいる、請求項１に記載のハンドル組立体。
【請求項１１】
前記ハンドルは、係合面を備えるプランジャを含んでおり、前記ブロック部材は、フック型部を備えるラッチを含んでおり、前記係合面と前記フック型部は実質的に互いに反対の方向を向いている、請求項１に記載のハンドル組立体。
【請求項１２】
前記ブロック部材は、そのピボット（４０）の近くに大きくされた質量部（１７６）を含んでいる、請求項１に記載のハンドル組立体。
【請求項１３】
前記ブロック部材に少なくとも部分的に接続され、または前記ブロック部材を支持している支持構造（３６）を含んでいる、請求項１に記載のハンドル組立体。
【請求項１４】
前記支持構造は、少なくとも１つのピボット面を有している、請求項９に記載のハンドル組立体。
【発明の詳細な説明】
【技術分野】
【０００１】
本発明は、概して、ラッチ機構に関し、特に乗り物のドアとパネル用のラッチ機構に関する。
【背景技術】
【０００２】
ラッチ機構には、アクセスパネルやドアに含まれるものを含む、広範な種類の用途のものが含まれる。多くの例において、例えば、付加的な機構が、保護機能や安全性を高めるために乗り物用のドアハンドルに用いられることがある。そのような付加的な機構は、乗物への側方からの衝撃や後方からの衝撃のような衝撃が生じる可能性のある場合に特に有用な場合がある。
【発明の開示】
【発明が解決しようとする課題】
【０００３】
本発明は、特に、衝撃や非常に強い他の力が生じた場合でも、ドアが不用意に開くのを防止すると同時に、主要なラッチ機構の信頼性を維持するのに役立つ追加のラッチ機構を提供する。
【課題を解決するための手段】
【０００４】
本発明は、可動なハンドルを備える、ドアのハンドル組立体を含んでいる。好ましい実施態様において、ハンドルは、ハンドルの一方の端部の所で回転可能にドアに取り付けられるように構成されている。ハンドルは、ばねによって付勢され、それによって、ハンドルは休止位置においてドア（その金属板、すなわち外板）に接するように配置されている。ハンドルの、ピボット端部とは反対側の端部が、ハンドルが、ドアを介して（乗り物内に）入ろうとする使用者によって握られて引かれた時に、ドアに対して、休止位置から離れるように変位可能であり、作動位置まで移動可能である。
【０００５】
ばねによる付勢は、多くの方法で実現可能であり、本発明の好ましい実施態様において、ハンドルの、ばねによる付勢は、公知の種類のベルクランク（ピボット結合された二重レバー機構）を用いて実現されている。ハンドルは、ベルクランクの両レバーのうちの一方によって伝達される付勢力を受ける突起（係合面）を有している。ハンドルをその休止位置に付勢するばねのような機構とハンドルの間の接続機構は、多くの形態を取ることができる。ハンドルを付勢するばねは、中間機構や係合面を介して作用するのではなく、ハンドルに直接連結することもできる。
【０００６】
ハンドルが、ドアから十分に離れるように動くと、（当該技術分野においてドアロックと呼ばれることもある）ドアラッチが開状態に動き、そうすると、ドアはラッチを解除され、すぐに引いて開けることができるようになる。ハンドルは、ドアラッチに直接作用することができ、あるいは、ハンドルとドアのラッチは離れていることが多いので、ケーブルやバーを介して間接的に作用することもできる。
【０００７】
ハンドル組立体は、ラッチ部材とも呼ばれるブロック部材を含んでいる。ブロック部材は、ハンドル内に回転可能に取り付けられており、ハンドルによって保持されている。ブロック部材は、ドアに取り付けられておりドアと共に移動可能な協働部材によって形成され動かないように配置されたラッチ面、ラッチ壁、すなわちラッチ部に引っ掛けることができるラッチ、すなわちフックを含んでいる。協働部材は、ドアの金属板に動かないように固定され、部分的に、ハンドル組立体の装飾用トリム部品として機能する、ハンドルのキャップまたはロックハウジングである。ラッチ面は、キャップまたはロックハウジングの一部として形成する必要はなく、ドアの金属板の一部とすることもできる。ブロック部材が適切な位置にある状態では、ハンドルをその休止位置から動かしてドアを開くことはできない。
【０００８】
ハンドル組立体は、ハンドルによって支持され、ハンドルに対して部分的に変位可能であり、（同様にハンドルによって支持されている）ブロック部材に対して変位可能な、ばねによって力をかけられた作動部材（トリガ、すなわちトリガ装置）をさらに含んでいる。作動部材の動きによって、ブロック部材がラッチ面から離されて係合解除位置に動かされる。作動部材は、変位させられたばねによって直接付勢し、すなわち力をかけることができ、あるいは、例えばブロック部材に作用するばねによって間接的に力をかけ、すなわち付勢することもできる。ブロック部材がラッチ面から除去された状態では、今や、ドアハンドルをドアから引き離して、ドアラッチを外し、ドアを開くことができるようにすることができる。本発明の、図示する実施態様において、作動部材は、一方の端部の所で回転可能に取り付けられており、他方の端部がブロック部材の、突き出ているレバーに係合するバー、すなわちレバーとして構成されている。作動部材は、ハンドルの下側に位置しており、ハンドルに対して内側に押し込むことができる。回転可能な作動部材は、ハンドルの下側に取り付けられブロック部材を直接動かす、直線的に移動可能なボタンや、ハンドルの頂部に取り付けられたボタンと、ブロック部材を動かす協働レバー部材の組み合わせによって置き換えることができる。
【０００９】
ブロック部材は、ハンドルのラッチ作用を強化する慣性質量部をさらに含むことができる。乗り物の側方衝突時に、慣性力が慣性質量部に作用してブロック部材をラッチ面に押圧するトルクを発生し、それによって、ブロック部材がラッチ面から外れるのが阻止される。
【発明を実施するための最良の形態】
【００１０】
図１から４を参照すると、本発明に従って構成されたハンドル組立体１０の一例の実施形態が示されている。
【００１１】
ハンドル組立体１０は、第１の係合部、すなわち係合面１６を備えるプランジャ１４を有し、回転可能な、ばねによって付勢されたハンドル１２を有している。プランジャ１４と第１の係合部、すなわち係合面が、ベルクランクに係合して、ハンドルを休止位置に付勢している。ハンドル１２は、回転中心１１を中心として回転する公知の構成になっている。ハンドルの、使用者によって引かれた時の回転方向が参照番号１１ａによって示されている。ハンドル１０とプランジャ１４は、一体構造であるのが好ましく、金属、プラスチック、ゴム、またはこれらの材料の様々な組み合わせから構成されている。しかし、ハンドル１０またはプランジャ１４は、必要な機能と十分な耐久性を実現することができるほとんど全ての材料構成およびその組み合わせから構成されていてよい。
【００１２】
第１の実施形態において、第１の係合部、すなわち係合面１６は、Ｌ字形面、すなわちフックの形態で示されている。しかし、プランジャと第１の係合部、すなわち係合面は、図示する構成に限定されず、所望のラッチ機能が実現されれば、代わりに多くの代替の構成としてもよい。ハンドル組立体１０は、ハンドル１２に、動作可能に連結されている作動部材（トリガ、すなわちトリガ装置）２０をさらに有している。作動部材（トリガ装置）２０は可動バー、レバー、ハンドルストリップ、または（例えば図示のような）レバーグリップ部の形態であってよく、あるいは、代わりに、可動ボタン（図９参照）、または、使用者によって持ち上げられ、押され、または他の形態で作動させられて、結び付けられたラッチを作動させる他の作動機構から構成されていてもよい。図示のように、作動部材２０は、基本的には、その端部２１を中心に回転するように構成されたバー（レバー）である。作動部材２０は（図示のように）ハンドル２０に付属した独立の構成部材とすることができ、あるいは、望まれるならば、作動部材２０は、代わりに、ハンドル１２と一体に形成することができる。好ましい実施形態において、ハンドル１２と作動部材２０は、当該技術分野において公知のようにぴったり合わさる複数の連結部を用いることによって、ハンドル１２と作動部材２０の間にウェザーエレメントが入り込まないように構成されている。
【００１３】
図８は、可動なボタン２３として構成された作動部材を示している。この実施形態において、レバー形式の作動部材２０は、ハンドル１２の下側に取り付けられ、動かないように配置された支持部材、すなわちプレート２３ａによって置き換えられている。この支持部材は、手動で押すことが可能なボタン２３が入る開口を含んでいる。ボタン２３の、内側への（矢印２３ｂの方向への）移動によって、ブロック部材２４がそのラッチ２６の範囲内で面２２から結合を解除される。
【００１４】
図１と２に戻ると、ハンドル組立体１０は、別個のラッチ面、すなわち保持面に引っ掛かることができる（保持面２２に引っ掛かることができる）保持部、すなわちラッチ２６を有するブロック部材２４、すなわちラッチ部材を有している。図示のように、ラッチ面、すなわち保持面２２は、キャップ２８のような嵌合するハンドル接続部材内（または、ドアキーを受け入れるロックハウジング１２８内）に形成されている。ラッチ面、すなわち保持面２２は、保持部、すなわちラッチ２６を固定し、すなわち保持する構造または面を形成する十分に堅いどのような構成部材、または構造の一部としてもよい。ラッチ２６は、アーチ状に形成してよく、あるいは、Ｊ字形フック（図５参照）や（図１と２に示しているような）Ｌ字形の「フック」の形態のフック状であってよく、あるいは、その代わりに、第２のラッチ部材、すなわちブロック部材２４を十分に保持でき、かつ外すことができるようにするどのような構成を取ってもよい。
【００１５】
好ましい実施形態では、ブロック部材２４の少なくとも一部がハンドルによって回転可能に支持されており、作動部材２０によって作動させられると、休止位置から作動位置に移動可能である。例えば、図１に概して示すように、ブロック部材２４は、第１のレバー部分２４ａ、第２のレバー部分２４ｂ、および（４０ａと４０ｂのような互いに反対方向に延びる２つの突出軸を有する）ピボット軸４０を有するベルクランクとして構成されている。作動部材２０の端部２０ａが、ブロック部材２４の（端部３０としても示されている）第１のレバー部分２４ａに接触し、すなわち作動的に連携している。ベルクランク、より具体的には突出軸４０ａ，４０ｂは、ハンドル１２に回転するように支持され、またはハンドル１２に対して相対的に回転するように支持されている。例えば、各突出軸は、ハンドル１２の、中空の端部１２ａ内の、互いに対向する両側部１５の、プランジャ１４の概ね上方に形成されたブッシュ１３内に入れることができる。ブロック部材を回転可能に支持する代替の複数の方法が本発明の範囲内に含まれる。ブロック部材２４のレバー部分２４ｂは、プランジャ１４の切れ込み３４に出入りするように動くことができる。
【００１６】
さらに、幾つかの用途では、第１の係合面１６と保持部、すなわちラッチ２６は、互いに反対を向くように構成されており、すなわち、例えば、正反対に向いた各面に接触してもよい。そのような構成によって、組立体が力によって第１または第２の保持部の係合から外れる方向に振動させられた場合に、他方の保持部がさらに係合して、ハンドルの、望まれない外れを防止することができるので、安全性が幾らか向上する。
【００１７】
図１に示すように、「ロックされた」、すなわち「係合させられた」状態において、すなわち、協働するドア（不図示）が閉じた状態では、ブロック部材２４の保持部（ラッチ）２６は、ロックするように係合させられており、あるいは、保持面２２の一部によって保持され、または、少なくとも、移動可能なのが一方向に限られている。望ましく係合させられた状態の時に、意図しない外れ、すなわち係合の解除を防止するために、十分な重なり、すなわち接触部分が存在するのが理想的である。一例の保持面２２を突起、すなわち端部の面として示しているが、保持面２２は、代わりに、例えば、限定されないが、切れ込みや突起が備えられた面のような他の形状または構成をとってもよい。
【００１８】
図示のハンドル組立体１０において、保持部、すなわちラッチ２６と保持面２２が係合すると、ハンドル１２がドアから引き離されるのを防止する作用が働く。当業者には、ブロック部材２４が、例えば十分に高いレベルの加速力（Ｇ力とも呼ばれる）がハンドルに垂直な方向に作用した時に、ハンドル１２が、意図しない動作をしないように幾らかの追加の保護をすることができることが分かる。
【００１９】
ハンドル１２は、ハンドル１２を支持しているドア内に位置しているのが普通である在来の構成のベルクランク、すなわちベルクランク機構４４の作用によって閉じられた位置に付勢されている。ベルクランク機構４４は、レバー４５ａと４５ｂを有するベルクランク４５、第１のばね４６、およびピン４８を含んでいる。ドア（不図示）が閉じている時、ハンドル１２はレバー４５ａによって第１の係合面１６を介して、ドアに対して内側に、ハンドルの、閉じられた位置、すなわち休止位置に付勢されている。破線４３が、レバー４５ａの、第１の係合面１６を付勢する力の方向を示している。レバー４５ｂは、直接、あるいはケーブルまたはバーを介して間接的に公知の種類のドアラッチに連結されている。図示する実施形態において、（ブロック部材の）ラッチ２６が保持面２２とのブロック位置（図１または３参照）に維持され、それによって、ハンドル１２の、外側への運動が阻止されている間は、ハンドル１２を単に持ち上げてドアのラッチを解除して開くことは不可能である。
【００２０】
作動部材２０を内側に動かしてブロック部材２４を回転させると、ラッチ２６は、保持面２２との係合が外れる解除位置に移動させられる。作動部材２０の、機械的な十分な動作によって、ブロック部材２４は軸線２５を中心に回転させられる。ラッチ２６は、動くと、保持面２２との係合から外れる。より具体的には、作動部材２０の内側への動作（通常はピボット動作）によって、（作動部材の）端部２０ａが、後述するばね５０（または５０ａ）の付勢力に抗してレバー２４ａの端部３０を上方へ（さらにハンドル内に）押し、それによって保持部、すなわちラッチ２６が保持面２２との係合から外れる。
【００２１】
図示の一例の構成のハンドル組立体１０には限定されないが、図１のハンドル１２のラッチを解除するには、使用者は、通常、ハンドル１２を引いて、トリガ装置、すなわち作動部材２０を、ハンドル１２のラッチを解除するように作動させる（例えば押す、または押し込む）必要がある。使用者がトリガ装置、すなわち作動部材２０を、その結果ブロック部材２４を作動させなければ、ラッチ２６は保持面２２との係合から外れず、ハンドル１２が保持面２２から引き離されるのが阻止されるのが普通である。
【００２２】
ベルクランク機構４４の一部である第１の、すなわち主要なばね４６に加えて、ハンドル組立体１０は、作動部材（トリガ装置）２０とブロック部材に付属する第２のばね手段を有している。この第２のばね５０，５０ａは、多くの形態を取ることができ、ベルクランクのレバー部分２４ａの端部３０を矢印２７の方向に付勢してベルクランクを軸線２５を中心として反時計方向（矢印２７ａ参照）に回転させるように中空のハンドル１２内に位置させることができる。板ばね５０が図１に示されており、一方、コイルばね５０ａが図２に示されている。
【００２３】
力の観点からは、技術的条件として、重要性の低いばね手段ほど、抵抗が小さく、または機械的な優位性が低くなるように、主要なばね４６に付随する力が第２のばね５０または５０ａに付随する力よりも大きいのが概して好ましい。本明細書において用いるように、ばねという用語は、１つまたは２つ以上のばねを含んでいても含んでいなくてもよく、代わりに、ばねのような作用を生じる他の機械的構成部材を含んでいてもよい。
【００２４】
図２は、ハンドル組立体１０の分解図である。前の図の組立体に関連して既に言及し、すなわち説明した構成要素や部材の、好ましい幾つかの実施形態に結び付けた特定の特徴やニュアンスの、より具体的な詳細に加えて、本図は、採用可能な追加の複数の部材をさらに示している。例えば、限定を伴うことなく、図２は、ハンドル１２に連結され、すなわちハンドル１２と連携し、ハンドル１２を支持する追加の、そして任意採用の、嵌合する構成部材３２の例を概して示している。構成部材３２は、ドアに対してハンドル１２を回転可能に支持するのに役立っている。図２は、ブロック部材２４の一部を受け入れる（開口、凹部、溝、または切れ込みを含むように形成されている）切れ込み３４を形成されたプランジャ１４を示している。破線３４ａは、第２のラッチ部材の、ハンドルと切れ込み３４に対する相対位置を示している。例えば、組み立て時に、レバー部分２４ａはハンドルの中空な端部１２ａ内に挿入され、突出軸４０ａ，４０ｂはハンドルの両軸受１３に配置される。ブロック部材２４のレバー部分２４ｂは、切れ込み３４から離れるように変位させられ、保持面２２に対して、切れ込み３４に出入りするように動く。
【００２５】
図２は、任意採用の、別個のブラケット３６の実施形態を示している。ブラケット３６はスリーブとして働き、プランジャ１４の前と、プランジャ１４の両側面の周りに位置しており、プランジャ１４とキャップ２８の開口の周りの、複数の壁２８ａの間の滑り摩擦を取り除き、または軽減するのに役立てることができる。好ましい実施形態において、ブラケットは低摩擦プラスチックから作られている。ブラケット３６は、ブロック部材２４と作動的に連携するピボット面３８を頂部に含むことができる。ブラケット３６上の、１つまたは２つ以上のピボット面３８ａ，３８ｂは、ブロック部材２４の両突出軸部分を支持する（例えば、レバー点、すなわち回転点としての）代替のピボット点／ピボット面を形成している。突出軸４０ａ，４０ｂは、ブロック部材１４がピボット面に沿ってある程度動き、または回転し、その結果、ブロック部材１４の一部（例えばラッチ２６）が、相応の保持面２２に対して（直線的に又は回転して）ある程度動くことができるようにピボット面３８ａ，３８ｂ上に延び、あるいは、ピボット面３８ａ，３８ｂに機械的に接続されるように配置することができる。
【００２６】
図３は、ドアが閉じているのに対応する状態にあるハンドル組立体１０を示している。図示のように、ラッチ２６は、保持面２２に係合しており、ハンドル１２が（破線によって示している）ドア３３を構成する金属板から離れるように外側に移動するのを阻止できる。図４は、ドアが手動で開かれた時に実現される、係合が解除された状態にあるハンドル組立体１０を示している。ブロック部材２４のレバー部分２４ｂは、プランジャ１４の切れ込み３４内に動かされており、保持面２２との連結を解除されている。
【００２７】
図５〜７は、回転可能であり、ばねによって付勢されているハンドル１２０を含む代替のハンドル組立体１００を含む、本発明の代替の実施形態を示している。ハンドル１２０は、ロックハウジング１２８（または図１〜４に示されているようなキャップ２８）のような相応の連結構成部材と合わせられるようになった中空の第１の端部１２２を含んでいる。ロックハウジング１２８は、任意採用のキーシリンダの、使用される場合の位置を示すために、ロックハウジング１２８の開口１２９と共に示されている。ハンドル１２０は、４６のような付勢ばねに作用的に連結された、任意採用の、相応の（突出した構造によっても実現可能な）係合部、すなわち係合面１１６を備える、突き出ているバー、すなわちプランジャ１１４を含んでいる。プランジャ１１４は、切れ込み、中空の溝、すなわちスロット１１８ａを含んでいる。この構成は、図１〜４に示した構成と同様である。係合面１１６の（下向きに窪んでＬ字形フックを形成している）形状が、係合面１６の（直線状にＬ字形フックを形成している）形状と異なっているが、これらは、機能上、互いに同等である。ベルクランク４５の、４５ａのようなレバーの１つによって、矢印１７４によって示すように、係合面１１６に下向きの付勢力が加えられている。ハンドルは、付勢ばねに他のやり方で接続することもできる。
【００２８】
ハンドル１２０は、図７に示すように、概ね中空であり、細い湾曲したリブのように形成された中央の握り部分、すなわち把持部分１３０を有している。ハンドル１２０の後端部、すなわちピボット端部１３２は、（破線１３３として示している）ドア内に公知の方法で回転可能に支持されている。ハンドルは、ドアの嵌合部に公知の方法で回転するように、またはスライドするように入れられている一体のピボット部材１３４を含んでいる。図５と７において、ピボット部材１３４は、ドア１３３の金属板の下に位置しているのが普通である。ハンドル組立体１００は、作動部材１５０、すなわちトリガを有している。作動部材１５０は、プラスチック製の成型レバーであるのが好ましく、ハンドルのピボット端部１３２の下側に取り付けられた連結端部１５２の所でハンドル１２０にピボット運動するように連結されている。
【００２９】
作動部材１５０は、（図７に示しているように）ピン、または、ねじが切られた留め具１５４ａによってハンドルに取り付けられている。作動部材（トリガ）１５０は、支点として働く（開口１５２ａに通して入れられた）留め具１５４ａを中心に概してピボット運動する。トリガ、すなわち作動部材１５０は、作動レバーとして機能し、概して参照番号１５４によって示されている、反対側の端部を有している。作動部材１５０、トリガ、すなわちレバーの、内側への動きによって、ブロック部材１６０は（ブロック部材２４が動かされるのと同様にして）解除状態に動かされる。ブロック部材１６０は、概して、ブロック部材２４と同じ機能を有している。ブロック部材１６０は、前述の実施形態のレバー部分２４ａと機能が同様である第１のレバー部分１６２を有している。ブロック部材１６０は、レバー部分２４ｂと機能が同様である他のレバー部分１６４を有している。保持部、すなわちラッチ１６６が、レバー部分１６４の、離れた側の端部に形成されており、機能が保持部、すなわちラッチ２６と同様であるが、保持部、すなわちラッチ１６６の形状は、アーチ状で、Ｕ字形またはＪ字形の形状を含んでいる。ブロック部材１６０は、ブロック部材２４の突出軸４０ａ，４０ｂと同様の、（図５，６ａ，６ｂに示されている）互いに反対側の２つの突出軸１７０と１７２をさらに含んでいる。図７では、例示のために、ハンドル１２０、プランジャ１１４、およびロックハウジング１２８を断面して示しており、一方、作動部材１５０とブロック部材１６０は斜視図で示している。図６ａと６ｂにおいて、ブロック部材１６０は、ブロック部材１６０の片側だけから延びており、ねじりばね１８０が受け止められている第３の突出軸１７４をさらに含んでいる。
【００３０】
付勢ばね１８０は、本体１８２と両端部１８４，１８６を有している。ばね１８０は、本体１８２を貫通している中央の通路１８８を有するねじりばねとして構成されている。ばね１８０は、（突出軸１７４を通って延びている）軸線１７４ａに沿って同軸に取り付けられており、ブロック部材１６０がハンドル１２０の端部１２２に挿入される前に突出軸１７４上に受け止められる。ばね１８０は、ラッチ１６６（ブロック部材）を保持面２２に係合させるように付勢している。ばね１８０の、１８４のような一方の端部が、ブロック部材１６０を押し、一方、ばねの、１８６のような他方の端部がハンドル１２０の中空の端部１２２を形成している空洞１２３内に取り付けられ、中空のこの端部１２２の内面に接して反発し、ブロック部材１６０を（軸１７０，１７２を通って延びている）軸線１９２を中心に、矢印１９０によって示すように反時計回りに付勢して、ラッチ１６６を保持面２２にロックするように係合させている。
【００３１】
ブロック部材１６０は、突出軸１７０，１７２とレバー１６６の間に、大きくなった質量（慣性質量）部１７８をさらに含んでいる。様々な図に示すように、この質量部１７６、すなわち慣性質量部は、レバー部分１６２の後部、またはその近くに位置しており、レバー部分１６４の頂部に位置している。
【００３２】
本実施形態の動作は、前述の実施形態と実質的に同様である。休止位置にある時、ブロック部材（ラッチ１６６）が保持面２２の周りにロックするように係合されて、様々な部材が図７に示しているように配置されている。この休止位置において、ハンドルはベルクランクのレバー４５ａ（または他の付勢機構）によって休止位置に付勢されている。図示のように、レバー４５ａはプランジャ１１４（保持部の上面、すなわち係合面１１６）を押圧し、ハンドル１２０をドア１３３の内部にピボット運動させてドアに当接させている。
【００３３】
ドアのロックを解除するために、通常動作中に、操作者はハンドルを握り、より具体的には、（ハンドルに対して）内側に力を加え（図７の、作動部材１５０に対する矢印２００を参照）、それによって、作動部材１５０はその連結端部１５２を中心にピボット運動する。作動部材（トリガ）１５０の動きによって、（レバー部分１６２の）端部１６２ａが端部１５４によって押され、レバー部分１６２が付勢ばね１８０の力に抗して持ち上げられ、ブロック部材（ラッチ１６６）が軸線１９２に対して回転させられる。ブロック部材１６０の形状、特に突出軸１７０，１７２の位置のために、ブロック部材１６０の回転によってラッチ１６６が弧を描くように下方に、ラッチ面、すなわち保持面２２から離れるように移動する。したがって、ラッチ１６６の、保持面２２との連結が外れることによって、使用者は、ハンドル１２０をそのピボット部材１３４を中心に回転させ、すなわち引いて、ベルクランク４５をばね４６の付勢力とは逆方向に回転させ、乗り物のドアに付属するラッチ機構、すなわちロック機構のラッチを外して、ドアを開くことができる。
【００３４】
事故時には、慣性力（例えば矢印２０２を参照）がドアに作用する。この慣性力によって、ブロック部材１６０は反対方向に移動させられ、そのような動きは慣性質量、すなわち質量部１７６の配置と重量によって強められ、それによって、ラッチ１６６は保持面２２と接触したままに保たれ、それによって、ハンドル１２０はロック状態に保たれ、ハンドルが不用意に開くのが防がれる。
【００３５】
組み立て時、ブロック部材１６０、より具体的には突出軸１７０，１７２は、中空の端部１２２内に挿入される。ハンドル１２０は、空洞１２３を有するように形成されている。中空の端部は、突出軸１７０，１７２を回転可能に支持する部分を有している。例えば、空洞１２３は、突出軸１７０，１７２を回転可能に受け止める、図８に示す、（機能がブッシュ、すなわち軸受１３と同様の）相補形状の両ブッシュ面２１０を有するように構成されている。両突出軸は、中空の端部１２２の内面上に形成されたばねクリップ、コッタピン、または複数の柔軟なタブのような様々な形態を取ることができる保持機構によって、または、突出軸１７０，１７２が適切な位置に配置された後、ハンドルの壁２１８（すなわち壁の開口部）を通って押し込まれた両保持ピン２１６によって、ハンドルの空洞１２３内に保持される。
【００３６】
図７において、ハンドルのピボット端部１３２とロックハウジング１２８は、ドアの金属板上に金属板の各開口に隣接して配置された相応のスナップイン式のガスケット２２０，２２２、すなわちシール上にそれぞれは位置されているように示している。各ガスケット２２０，２２２は、ハンドル１２０およびロックハウジング１２８と乗り物のドアの金属板の間のシールとして働く。各シールド、すなわちガスケット２２０，２２２は、ハンドル１２０および／またはロックハウジング１２８の一部が貫通して延びている（ドアの、相応の開口と揃えられている）開口２２４を有している。各ガスケット２２０，２２２は、ガスケットをドアの金属板の、相応の開口（不図示）内にスナップ式に嵌めることができるようにするスナップイン式の、１つまたは２つ以上のコネクタ２２０ａ，２２２ａを有している。
【図面の簡単な説明】
【００３７】
【図１】本発明を具体化した二重ラッチ部を備える組立体の、ハンドルの一部を断面して示す、正面側から見た斜視図である。
【図２】図１に示す一例の組立体の様々な構成部材の分解図である。
【図３】第２の保持部が係合させられた状態を概して示す、図１に示す組立体の、背面側から見た斜視図である。
【図４】第２の保持部がわずかに回転させられ、係合を解除された状態を概して示す、図１に示す組立体の、背面側から見た斜視図である。
【図５】本発明の代替の実施形態の主要な構成部材を示す図である。
【図６ａ】第２の保持部の代替の実施形態を示す図である。
【図６ｂ】第２の保持部の代替の実施形態を示す図である。
【図７】代替の実施形態の縦方向の断面図である。
【図８】ハンドルの一部内の、第２のラッチ部材が周りに回転する軸受を示す部分組み立て図である。
【図９】作動部材がボタンとして構成されている、本発明の代替の実施形態を示す図である。
【図１】
2007503542.tif 000003
【図２】
2007503542.tif 000004
【図３】
2007503542.tif 000005
【図４】
2007503542.tif 000006
【図５】
2007503542.tif 000007
【図６ａ】
2007503542.tif 000008
【図６ｂ】
2007503542.tif 000009
【図７】
2007503542.tif 000010
【図８】
2007503542.tif 000011
【図９】
2007503542.tif 000012
【国際調査報告】
2007503542.tif 000013
2007503542.tif 000014